(57)【要約】【課題】  シートベースに可動フードを前後移動自在に取り付けるとともに、可動フードを位置固定するロック手段を、シートベースの可動フード取付面に形成した係合歯部と可動フードに備えられ係合歯部に弾性変形によって係合離脱自在なロック片とで構成してある釣り竿のリールシート構造において、。【解決手段】  可動フード１の前後移動方向ｑと係合歯部４における歯底の前後配列方向ｐとを非平行に設定して、可動フード１が後方にある時におけるロック片１Ｄの係合歯部４への係合強度が、可動フード１が前方にある時における係合強度よりも大きくなるよう設定してある。【選択図】        図２
2006288237.tif 000002
【特許請求の範囲】
【請求項１】
シートベースに可動フードを前後移動自在に取り付けるとともに、前記可動フードを位置固定するロック手段を、前記シートベースの可動フード取付面に形成した係合歯部と可動フードに備えられ前記係合歯部に弾性変形によって係合離脱自在なロック片とで構成してある釣り竿のリールシート構造であって、
前記可動フードが後方にある時における前記ロック片の前記係合歯部への係合強度が、前記可動フードが前方にある時における前記係合強度よりも大きくなるよう係合歯部を配列配置してある釣り竿のリールシート構造。
【請求項２】
前記可動フードが後方に移動するに連れて前記係合強度が漸次大きくなるように設定してある請求項１記載の釣り竿のリールシート構造。
【請求項３】
前記可動フードの前後移動方向と前記係合歯部における歯底の前後配列方向とを非平行に設定してある請求項１又は２記載の釣り竿のリールシート構造。
【請求項４】
請求項１〜３のうちいずれか一つに記載のリールシートを有する釣り竿。
【発明の詳細な説明】
【技術分野】
【０００１】
本発明は、釣り糸巻取り用の各種リールを脱着自在に装着する釣り竿のリールシート構造およびこのリールシート構造を備えた釣り竿に関する。
【背景技術】
【０００２】
釣り竿のリールシート構造は、釣り竿に装備固定されたシートベースに可動フードを前後移動自在に取り付けるとともに、可動フードを位置固定するロック手段を、シートベースの可動フード取付面に形成した係合歯部と、係合歯部に弾性変形によって係合離脱自在に可動フードに備えられたロック片とで構成したものが多用されている（例えば、特許文献１参照）。
【０００３】
【特許文献１】実開平１０−８０２４０号公報
【発明の開示】
【発明が解決しようとする課題】
【０００４】
従来のリールシート構造においては、可動フードの前後移動方向と係合歯部の前後配列方向とが平行に設定されていたので、ロック片は前後方向にいずれの位置においても同等に弾性変形して係合歯部に係合することになり、換言すれば、ロック片の係合歯部に対する係合強度が前後方向にいずれの位置においても一定となっており、リールサイズにかかわらずリール取付け強度が同じものとなっていた。
【０００５】
しかし、大型で重量の大きいリールを取り付けるほど、概してリール脚に働く負荷が大きいものとなり、使用しているうちに可動フードがシートベースから浮き上がり変位してロック片が係合歯部から外れるおそれがあった。
【０００６】
本発明はこのような点に着目してなされたものであって、リールサイズに応じた過不足のない適切な取付け強度でのリール取付けを行うことができるとともに、取扱い性にも優れたリールシート構造を提供することを目的とする。
【課題を解決するための手段】
【０００７】
〔構成〕
第１の発明は、シートベースに可動フードを前後移動自在に取り付けるとともに、前記可動フードを位置固定するロック手段を、前記シートベースの可動フード取付面に形成した係合歯部と可動フードに備えられ前記係合歯部に弾性変形によって係合離脱自在なロック片とで構成してある釣り竿のリールシート構造であって、
前記可動フードが後方にある時における前記ロック片の前記係合歯部への係合強度が、前記可動フードが前方にある時における前記係合強度よりも大きくなるよう係合歯部を配列配置してあることを特徴とするものであり、その作用効果は次の通りである。
【０００８】
〔作用〕
上記構成によると、可動フードが後方に在る時のロック片が係合歯部に係合する際の係合強度は可動フードが前方に位置する場合より大きいものとなり、大型リールを装着する場合のリール取付け強度が小型リールを装着する場合のリール取付け強度よりも高いものとなる。
なお、可動フード移動範囲の全域でロック片の係合歯部への係合強度を大きくしておくことも考えられるが、これによると、ロック片を係合歯部に弾性係合させるロック操作力が可動フード移動範囲の全域で大きいものとなる。従って、小型リールの装着においては必要以上のリール取付け強度がもたらされるのみならず、ロック片の操作に大きい力を必要とすることになって取扱い性が悪くなる。
これに対して、可動フードの位置によってリール取付け強度を異ならせる上記構成によれば、小型リールの脱着においては、必要かつ充分なリール取付け強度をもたらしながらロック片の操作に特に大きい力を要することなく取扱うことができる。
【０００９】
〔効果〕
従って、第１の発明によると、リールサイズに応じた過不足のない適切な取付け強度でのリール取付けを行うことができるとともに、取扱い性にも優れたリールシート構造を得ることができる。
【００１０】
第２の発明は、上記第１の発明において、
前記可動フードが後方に移動するに連れて前記係合強度が漸次大きくなるように設定してあることを特徴とするものである。
【００１１】
〔作用効果〕
上記構成によると、リールサイズが大きくなるに連れて可動フードのリール脚固定位置が後方に移行してロック片の係合強度が大きくなるので、リールサイズが大きくなるに連れてリール取付け強度が高くなり、各種サイズのリールを過不足のない取付け強度で装着固定することができ、第１の発明を好適に実施することができる。
【００１２】
第３の発明は、上記第１または２の発明において、
前記可動フードの前後移動方向と前記係合歯部における歯底の前後配列方向とを非平行に設定してあることを特徴とするものである。
【００１３】
〔作用効果〕
シートベースに備える係合歯部の配列を変更するだけの簡単な改造で所期の機能を発揮させることができ、安価に実施することができる。
【００１４】
第４の発明は、上記第１〜３のうちいずれか一つのリールシート構造を備えて釣り竿を形成したものである。
【００１５】
〔作用効果〕
このようなリールシート構造を備えた釣り竿は、各種サイズのリールをガタつきの発生なく装着して長期間良好に使用することのできる。
【発明を実施するための最良の形態】
【００１６】
以下、本発明の一実施例を、筒状リールシートに使用されている可動フードのロック手段について説明する。
【００１７】
図１に示すように、筒状リールシートＡは、前端部に固定フード２、後端部に可動フード１を配置して、リール脚を挿入固定するように構成されている。筒状リールシートＡは、ナイロン樹脂やＡＢＳ樹脂で成形されており、その筒状シートベース３を元竿の所定位置に外嵌させて、接着剤等でその元竿に装着固定されるようになっている。
【００１８】
可動フード１は、図１及び２に示すように、両横側壁１Ａ，１Ａと天井壁１Ｂとからなる本体部と、天井壁１Ｂの内側に貼り付けられている樹脂フード１Ｃと、樹脂フード１Ｃの後端部内に嵌め込み固定されるとともにその樹脂フード１Ｃより後向き片持ち状に延出される弾性復帰可能なロック片１Ｄと、ロック片１Ｄに当接作用してそのロック片１Ｄを係合姿勢と係合解除姿勢とに切り換えるロック操作片１Ｅとで構成してある。
【００１９】
ロック操作片１Ｅは、先端部分に平板状の摘まみ部を設けるとともに基端部に左右に突出する軸支部を張り出せて形成されている。一方、図２に示すように、両横側壁１Ａ，１Ａの後端部に円弧状の枢支部１ａ，１ａを形成し、前記ロック操作片１Ｅの軸支部を挿入して左右軸支部の横向き軸芯を中心にしてロック操作片１Ｅを前後に揺動開閉自在に構成してある。
【００２０】
以上のように構成された可動フード１は、左右両横側壁１Ａ，１Ａの下端部を折り返して、シートベース３の可動フード１の取り付け台３Ａに形成した直線状の案内溝３Ｂ内に前記した折り返し部を挿入し、その取り付け台３Ａの側面に沿って前後に直線スライド移動可能に構成してある。つまり、可動フード１は、固定フード２に近接する位置でリール脚を固定するリール脚固定位置とそのリール脚固定位置より後ろ向きに後退する退避位置とに亘って前後にスライド移動自在に構成してある。
【００２１】
次に、ロック片１Ｄが係合する相手側となる係合歯部４について説明する。
図２に示すように、シートベース３の可動フード１の取り付け台３Ａの上面に鋸歯状に形成された係合歯部４が設けられてている。この係合歯部４はステンレス製の基板５の上面にプレス形成されてシートベース３の所定位置に嵌め込み固定されている。鋸歯状係合歯部４の歯形の具体的形態は、図３に示すように、固定フード２に向かう前向き面４ａが垂直面で反対側の後向き面４ｂが傾斜面に形成されている。また、前向き垂直面４ａと後向き傾斜面４ｂとが交差する歯先には僅かな平坦面４ｃが設けられ、歯先が早期に損傷あるいは摩損することが防止されている。
【００２２】
図２に示すように、前記係合歯部４に係合するロック片１Ｄは、両側壁１Ａと同様にチタンやアルミ等の金属製の板状部材であり、前記したように、樹脂フード１Ｃから後側に向けて延出してあるが、長手方向の中間位置に下向きの凹入部１ｄを形成するとともに、さらに後端側に円弧状部分１ｅを設けてあり、円弧状部分１ｅの後端を下向きで斜め後方側に延出してある。この下向き後端部分を係合歯部４に係合する係合部１ｆとする。
【００２３】
以上のように構成されたロック片１Ｄに対して、ロック操作片１Ｅの作用によって姿勢切換できるようになっている。つまり、図２（イ）に示すように、ロック操作片１Ｅの後端はロック片１Ｄの凹入部１ｄ内に入り込んでロック解除姿勢に切換られており、そのロック解除状態から図２（ロ）に示すように、ロック操作片１Ｅを天井壁１Ｂの上方に沿ったロック姿勢に倒伏させた状態においては、凹入部１ｄ内に入り込んでいるロック操作片１Ｅの後端が円弧状部分１ｅに当接作用してロック片１Ｄを押え付け、ロック片１Ｄの係合部１ｆを係合歯部４に係合する状態に切換え、可動フード１の位置を固定する。この状態がロック状態である。この状態は、固定フード２と可動フード１とでリール脚部を筒状リールシートＡに締め付け固定する状態である。
【００２４】
図２（イ）に示すように、ロック状態からロック操作片１Ｅを後方側に持ち上げ操作すると、円弧状部分１ｅに当接作用していたロック操作片１Ｅの後端がロック片１Ｄから離間して凹入部１ｄ内に入り込む。このことによって、ロック片１Ｄを抑える操作力が解除され、ロック片１Ｄは自己の弾性復帰力によって上方に復帰作動する。これによって、ロック片１Ｄの係合部１ｆを係合歯部４に係合する状態から解放し、可動フード１の移動を許容する状態に切り換える。
【００２５】
上記ロック姿勢で未だリール脚部を固定するのに十分でない場合には、ロック操作片１Ｅを起立させることなく、ロック操作片１Ｅを天井壁１Ｂに沿った倒伏姿勢のまま、可動フード１をリール脚部側に押し込むと、ロック片１Ｄがその弾性力によって係合歯部４に係合した状態から係合歯部４の後向き傾斜面４ｂを乗り越えて、次ぎの係合歯部４に係合する状態に復帰し、可動フード１を前進させることができる。
【００２６】
以上のようなリールシート構造において、本発明では前記係合歯部４が以下のように配列形成されている。
【００２７】
すなわち、係合歯部４が形成された前記基板５は、図２，図４に示すように、シートベース３の取付け凹部３Ｃに、前端側が後端側よりも深く嵌め込まれて装着され、係合歯部４における歯底の前後配列方向ｐが若干後上がりに傾斜され、可動フード１の前後移動方向、つまり、前記案内溝３Ｂの方向ｑに対して歯底の前後配列方向ｐが後方へゆくほどその間隔の広がる非平行状態となるように係合歯部４が配置されている。
【００２８】
この構成によると、可動フード１が後方に在る時における係合歯部４の歯底位置、つまり、係合作用するロック片１Ｄの係合部１ｆの位置が、前方に在る時に係合歯部４に係合作用するロック片１Ｄの係合部１ｆの位置よりも高いものとなり、一定姿勢に操作されたロック操作片１Ｅで押圧変形されるロック片１Ｄの変形状態が変化して、係合歯部４への食い込み係合力（係合強度）が大きくなる。つまり、可動フード１を後方を後方に移動させるに連れて係合歯部４に対するロック片１Ｄの係合強度が大きくなり、脚部が前後に長い大型のリールの取付け強度が、脚部が前後に短い小型のリールの取付け強度よりも高いものとなるのである。
【００２９】
〔別実施の形態〕
本発明は以下のような形態で実施することもできる。
【００３０】
（１）図５に示すように、前記係合歯部４の後半部のみを上記と同様に後上がり傾斜に配列して、係合歯部４の前半部ではロック片１Ｄの係合強度を一定にし、係合歯部４の後半部では可動フード１を後方に移動させるに連れて漸次ロック片１Ｄの係合強度を大きくする形態で実施することもできる。
【００３１】
（２）図６に示すように、前記係合歯部４を前後方向に段階的に配列することで、可動フード１を後方を後方に移動させるに連れて段階的にロック片１Ｄの係合強度を大きくすることもできる。
【００３２】
（３）図７に示すように、前記係合歯部４を備えた基板５に対して可動フード１の案内溝３Ｂを後下がり傾斜させることで、係合歯部４の歯底の前後配列方向ｐと可動フード１の前後移動方向ｑとを非平行にして実施することも可能である。
【００３３】
（４）図示しないが、可動フード１が後方にある時におけるロック１Ｄ片の係合歯部４に対する変形量が、可動フード１が前方にある時におけるロック片１Ｄの係合歯部４に対する変形量より大きくなるように係合歯部４の歯形を形成して同等の機能を発揮させることも可能である。
【００３４】
（５）上記実施例では、筒状に形成されたシートベースを元竿に外嵌装着する場合を例示しているが、プレート状のシートベースを元竿の外周面に沿って装着固定するものに適用することもできる。
【図面の簡単な説明】
【００３５】
【図１】筒状リールシートの斜視図
【図２】可動フードの取付固定構造を示し、（イ）は、ロック操作片をロック解除姿勢に設定した状態を示す縦断側面図、（ロ）は、ロック操作片をロック姿勢に設定した状態を示す縦断側面図
【図３】係合歯部を示す縦断側面図
【図４】係合歯部と案内溝との関係を示す側面図
【図５】別実施例における係合歯部と案内溝との関係を示す側面図
【図６】さらに別の実施例における係合歯部と案内溝との関係を示す側面図
【図７】さらに別の実施例における係合歯部と案内溝との関係を示す側面図
【符号の説明】
【００３６】
１            可動フード
１Ｄ          ロック片
３            シートベース
４            係合歯部
ｐ            歯底の前後配列方向
ｑ            可動フードの前後移動方向
【図１】
2006288237.tif 000003
【図２】
2006288237.tif 000004
【図３】
2006288237.tif 000005
【図４】
2006288237.tif 000006
【図５】
2006288237.tif 000007
【図６】
2006288237.tif 000008
【図７】
2006288237.tif 000009